(57)【要約】【課題】人の手に対する密着性を保持しつつ、装着性の向上も図ることが可能な編み手袋及びその製造方法の提供。【解決手段】本発明に係る編み手袋１は、人の指を挿入可能な指部１１と、指部１１に接合される胴部２１と、手首部３１とを備えている。胴部２１は、手甲側の度目が手掌側の度目よりも粗く形成されるとともに、周方向における編み目列（ウェール）において、手甲側の編み目数が手掌側の編み目数よりも少なく形成されている。【選択図】図２
2017186708.tif 000002
【特許請求の範囲】
【請求項１】
人の指を挿入可能な指部と、前記指部に接合される胴部と、前記胴部に接合される手首部とを備えた編み手袋であって、
前記胴部は、
手甲側の度目が手掌側の度目よりも粗く形成されるとともに、
周方向における編み目列の少なくとも一部において、手甲側の編み目数が手掌側の編み目数よりも少なく形成されていることを特徴とする編み手袋。
【請求項２】
前記指部は、手甲側の度目が手掌側の度目よりも粗く形成されていることを特徴とする請求項１に記載の編み手袋。
【請求項３】
前記胴部には、少なくとも複数種類の糸が用いられ、
複数種類の前記糸は、第１の糸と、前記第１の糸よりも熱収縮率が大きい伸縮性を有する第２の糸とを含むことを特徴とする請求項１又は請求項２に記載の編み手袋。
【請求項４】
前記手首部は、編成された編み地が前記指部に向けて折り重ねられていることを特徴とする請求項１〜請求項３の何れか１項に記載の編み手袋。
【請求項５】
人の指を挿入可能な指部と、前記指部に接合される胴部と、前記胴部に接合される手首部とを備えた編み手袋の製造方法であって、
前記指部を編み込む指部編成工程と、
前記指部に連続して前記胴部を編み込む胴部編成工程と、
前記胴部に連続して前記手首部を編み込む手首部編成工程と、を備え、
前記胴部編成工程は、
手甲側の前記胴部の度目が手掌側の前記胴部の度目よりも粗くなるように編み込む胴部度目調整工程と、
前記胴部の周方向における編み目列の少なくとも一部において、手甲側の前記胴部の編み目数が手掌側の前記胴部の編み目数よりも少なくなるように編み込む胴部編み目数調整工程と、を含むことを特徴とする編み手袋の製造方法。
【請求項６】
前記指部編成工程は、手甲側の前記指部の度目が前記指部の手掌側の度目よりも粗くなるように編み込む指部度目調整工程を含むことを特徴とする請求項５に記載の編み手袋の製造方法。
【請求項７】
前記胴部には、少なくとも複数種類の糸が用いられ、
複数種類の前記糸は、第１の糸と、前記第１の糸よりも熱収縮率が大きい伸縮性を有する第２の糸とを含み、
熱処理を施すことによって前記第２の糸を収縮させる熱処理工程をさらに備えたことを特徴とする請求項５又は請求項６に記載の編み手袋の製造方法。
【請求項８】
前記手首部編成工程は、編成された編み地を前記指部に向けて折り返す手首部折返工程を含むことを特徴とする請求項５〜請求項７の何れか１項に記載の編み手袋の製造方法。
【発明の詳細な説明】
【技術分野】
【０００１】
本発明は、手袋及びその製造方法に関し、特に、編み手袋及びその製造方法に関するものである。
【背景技術】
【０００２】
従来から、毛糸や合成繊維等の各種繊維からなる糸を、編み込むことによって編成される編み手袋が広く知られている（特許文献１参照）。
【０００３】
一般に、この種の編み手袋は、手に装着していない状態において扁平形状となるものがほとんどである。
【先行技術文献】
【特許文献】
【０００４】
【特許文献１】特開２０００−１５４４０８号公報
【発明の概要】
【発明が解決しようとする課題】
【０００５】
ところで、人の手は、その構造上、力を入れていない自然な状態において、手のひら側（手掌側）へ向けてやや湾曲するようになっている。
【０００６】
一方、従来の編み手袋は、手との密着性を向上させるため、また、大量生産する場合においては複数の人の手の大きさに対応できるようにするため、若干小さめに作製されるのが一般的である。
【０００７】
そうすると、このような編み手袋を手にはめた場合、手には、扁平状に形成された編み手袋の形状によって無理に開かせようとする力が作用するため、人に違和感を感じさせる場合が少なくなかった。
【０００８】
このように、従来の編み手袋では、密着性を確保できるものの、装着性の面において必ずしも十分とはいいがたいものであった。
【０００９】
本発明は、このような不都合を解消するためになされたものであり、その目的は、人の手に対する密着性を保持しつつ、装着性の向上も図ることが可能な編み手袋及びその製造方法を提供することにある。
【課題を解決するための手段】
【００１０】
上記課題は、本発明に係る編み手袋によれば、人の指を挿入可能な指部と、前記指部に接合される胴部と、前記胴部に接合される手首部とを備えた編み手袋であって、前記胴部は、手甲側の度目が手掌側の度目よりも粗く形成されるとともに、周方向における編み目列の少なくとも一部において、手甲側の編み目数が手掌側の編み目数よりも少なく形成されていることにより解決される。
【００１１】
ここで、上記構成に係る「指部」とは、人の手を構成する、人さし指、中指、薬指、小指及び親指のそれぞれに対応させて筒状または袋状に形成したもの（この場合「指部」は５つ）を指し示すほか、例えば、ミトンのように、親指と親指以外の指（人さし指、中指、薬指、小指）とに分けて形成されたもの（この場合「指部」は２つ）を含む概念である。
【００１２】
また、上記構成に係る「胴部」とは、例えば、「指部」が５つある場合においては、「人さし指部」、「中指部」及び「薬指部」のそれぞれを接合して編み込んだ部分（いわゆる「３本胴」）、「３本胴」及び「小指部」を接合して編み込んだ部分（いわゆる「４本胴」）、及び、「４本胴」及び「親指部」を接合して編み込んだ部分（いわゆる「５本胴」）が該当する。
【００１３】
さらに、上記構成に係る「前記胴部は、・・・周方向における編み目列において、手甲側の編み目数が手掌側の編み目数よりも少なく形成されている」とは、上記「指部」が５つある場合では、３つの「胴部」（「３本胴」、「４本胴」及び「５本胴」）のうち、何れか１つの「胴部」（例えば、「５本胴」）の「編み目列」（ウェール）において、「手甲側の編み目数が手掌側の編み目数よりも少なく形成」されていればよく、３つの「胴部」における「編み目列」の全てにおいて、「手甲側の編み目数が手掌側の編み目数よりも少なく形成」されていてもよい、といった意味が内在するものである。
【００１４】
このように、上記構成に係る編み手袋では、編み手袋の大部分を占める胴部において、手甲側の度目が手掌側の度目よりも粗くなるように形成されている。
すなわち、本発明に係る編み手袋によれば、力をいれていない状態の人の手の形に類似した形状（手掌側に向けてなだらかに湾曲する形状）に形成することが可能なため、編み手袋を手にはめた際に感じる、違和感を確実に減らすことができる。
【００１５】
ところで、一般に、度目を粗くして編み地を編成すると、編み目の縦の列の方向（ウェール方向）において「ゆるい」編み地が形成される。
このような編み地は、ウェール方向において硬くないため、当該ウェール方向に折れ曲がりやすくなるのが一般的である。
この点、上述したような度目の調整がおこなわれた編み手袋では、胴部の手甲側を構成する編み地が、手の挿入方向（ウェール方向）に折れ曲りやすくなっていることがわかる。
【００１６】
また、一般に、編み手袋を手にはめると、その手首部が指部へむけてずり上がってしまう場合が少なくない。
そうすると、上述したような度目の調整「のみ」をおこなった編み手袋では、手にはめた際に、「ゆるい」編み地である、胴部の手甲側を中心として必然的に盛り上がってしまう「たわみ現象」が生じやすい。
かかる場合、胴部の手甲側と手との密着性が損なわれるばかりか、いきおい、美観性の低下を招くこととなる。
【００１７】
そこで、本発明では、胴部の手甲側において工夫を凝らした部分、すなわち、手掌側よりも度目を粗くした部分について、さらに、当該部分における編み目列の編み目数を減少させる（目減らしする）ことによって、上述したような「たわみ現象」を抑制することが可能となっている。
【００１８】
以上のように、本発明では、簡単な構成（手甲側の胴部における所定部分の度目を粗くするのと同時に編み目数も減じる、といった構成）でありながらも、装着性のみならず、密着性及び美観性も向上させることが可能である。
【００１９】
なお、上記構成に加え、前記指部は、手甲側の度目が手掌側の度目よりも粗く形成されていると好適である。
【００２０】
また、前記胴部には、少なくとも複数種類の糸が用いられ、複数種類の前記糸は、第１の糸と、前記第１の糸よりも熱収縮率が大きい伸縮性を有する第２の糸とを含むと好適である。
【００２１】
さらに、前記手首部は、編成された編み地が前記指部に向けて折り重ねられていると好適である。
【００２２】
ところで、上記課題は、本発明に係る編み手袋の製造方法によっても解決することが可能である。
具体的に、本発明に係る編み手袋の製造方法は、人の指を挿入可能な指部と、前記指部に接合される胴部と、前記胴部に接合される手首部とを備えた編み手袋の製造方法であって、前記指部を編み込む指部編成工程と、前記指部に連続して前記胴部を編み込む胴部編成工程と、前記胴部に連続して前記手首部を編み込む手首部編成工程と、を備え、前記胴部編成工程は、手甲側の前記胴部の度目が手掌側の前記胴部の度目よりも粗くなるように編み込む胴部度目調整工程と、前記胴部の周方向における編み目列の少なくとも一部において、手甲側の前記胴部の編み目数が手掌側の前記胴部の編み目数よりも少なくなるように編み込む胴部編み目数調整工程と、を含む。
【００２３】
なお、本発明に係る編み手袋の製造方法においては、上記構成に加え、前記指部編成工程は、手甲側の前記指部の度目が手掌側の前記指部の度目よりも粗くなるように編み込む指部度目調整工程を含むと好適である。
【００２４】
また、前記指部編成工程は、手甲側の前記指部の度目が前記指部の手掌側の度目よりも粗くなるように編み込む指部度目調整工程を含むと好適である。
【００２５】
さらに、前記胴部には、少なくとも複数種類の糸が用いられ、複数種類の前記糸は、第１の糸と、前記第１の糸よりも熱収縮率が大きい伸縮性を有する第２の糸とを含み、熱処理を施すことによって前記第２の糸を収縮させる熱処理工程をさらに備えると好適である。
【００２６】
また、前記手首部編成工程は、編成された編み地を前記指部に向けて折り返す手首部折返工程を含むと好適である。
【発明の効果】
【００２７】
以上のように、本発明に係る編み手袋及びその製造方法によれば、簡単な構成でありながらも、装着性、密着性及び美観性の向上を図ることができる。
【図面の簡単な説明】
【００２８】
【図１】本発明の実施の一形態に係る編み手袋を手甲側から視た状態を示す斜視図である。
【図２】図１の編み手袋を手掌側から視た状態を示す斜視図である。
【図３】図１の編み手袋を手掌側から視た状態を示す平面図である。
【図４】指部の編み目を模式的に示した模式図である。
【図５】胴部の編み目を模式的に示した模式図である。
【図６】５本胴部の編み目数の調整をおこなわずに作製した編み手袋の斜視図である。
【図７】図１の編み手袋の製造工程を示すフロー図である。
【図８】本発明の他の実施の一形態に係る編み手袋を手甲側から視た状態を示す平面図である。
【発明を実施するための形態】
【００２９】
以下、本発明の一形態を図面に基づいて説明する。
図１は本発明の実施の一形態に係る編み手袋を手甲側から視た状態を示す斜視図、図２は図１の編み手袋を手掌側から状態を示す斜視図、図３は図１の編み手袋を手掌側から視た状態を示す平面図、図４は指部の編み目を模式的に示した模式図、図５は胴部の編み目を模式的に示した模式図、図６は５本胴部の編み目数の調整をおこなわずに作製した編み手袋の斜視図、図７は図１の編み手袋の製造工程を示すフロー図である。
【００３０】
図１〜図４に示すように、本実施形態に係る編み手袋１は、手または機械によって、例えば、メリヤス編みされたものであって、指部１１と、胴部２１と、手首部３１とを備えている。なお、上記編み手袋１と、指部１１と、胴部２１と、手首部３１とが、それぞれ、特許請求の範囲に記載の「編み手袋」と、「指部」と、「胴部」と、「手首部」とに該当する。
本実施形態では、人の手の５本の指全体を覆うタイプ（手の爪を覆うタイプ）の編み手袋を例にとって説明するが、爪が露出するタイプ（フィンガーレスタイプ）のものであってもよく、また、ミトン状のものであってもよい。
【００３１】
本実施形態に係る指部１１は、人の手の指と同様に、人さし指部１２と、中指部１３と、薬指部１４と、小指部１５と、親指部１６とを有し、何れも袋状に形成されている。
【００３２】
人さし指部１２、中指部１３、薬指部１４、小指部１５及び親指部１６は、それぞれ、従来から採用されている編み手袋の作成方法と同様に、例えば、爪先側から指の付け根側（ウェール方向）へ向けて、周方向（コース方向）に沿って順に編み込まれるようになっている。
【００３３】
詳しくは後述するが、人さし指部１２、中指部１３及び薬指部１４は３本胴部２２に、小指部１５は３本胴部２２に連続して編成される４本胴部２３に、親指部１６は４本胴部２３に連続して編成される５本胴部２４に、それぞれ、接合されるようになっている。
【００３４】
指部１１は、ウールや麻等の天然繊維やポリエステル等の化学繊維からなる第１の糸４１のほか、第１の糸４１よりも熱収縮率が大きい伸縮性を有する第２の糸４２（例えば、アクリル繊維９８％及びポリウレタン繊維２％からなる糸）を同時に編み込むことによって編成される。なお、上記第１の糸４１と、第２の糸４２とが、それぞれ、特許請求の範囲に記載の「第１の糸」と、「第２の糸」とに該当する。
【００３５】
このような複数種類の糸を用いた、指部１１（人さし指部１２、中指部１３、薬指部１４及び小指部１５）の編み込みは、手甲側の度目Ｄ１及び手掌側の度目Ｄ２の粗さを調整しつつおこなわれる。
具体的に、指部１１は、手甲側の度目Ｄ１が手掌側の度目Ｄ２よりも粗くなるように調整されつつ編み込まれる。このような調整は、例えば、手甲側の度目Ｄ１を１００％とした場合に、手掌側の度目Ｄ２を７０％とすることにより実現することが可能である。
【００３６】
このようにして編み込まれた指部１１は、手掌側の度目Ｄ２が手甲側の度目Ｄ１よりも詰まっているため、その全体が手掌側に向けてなだらかに湾曲する形状を有することとなる。
【００３７】
次に、胴部２１について図１〜図３及び図５を参照して説明する。
図１〜図３及び図５に示すように、胴部２１は、３本胴部２２と、４本胴部２３と、５本胴部２４とを有している。
【００３８】
３本胴部２２は、人さし指部１２、中指部１３及び薬指部１４の各開口端側を接合するためのものであって、各指部を接合した後、手首部３１に向けて編み込まれるものである。
４本胴部２３は、３本胴部２２の開口端側と、小指部１５の開口端側とを接合するためのものであって、これらを接合した後、手首部３１に向けて編み込まれるものである。
５本胴部２４は、４本胴部２３の開口端側と、親指部１６の開口端側とを接合するためのものであって、これらを接合した後、手首部３１に向けて編み込まれるものである。詳しくは後述するが、この５本胴部２４の開口端側には、手首部３１が連続して編み込まれるようになっている。
【００３９】
３本胴部２２、４本胴部２３及び５本胴部２４は、何れも、指部１１と同様に、第１の糸４１及び第２の糸４２を同時に編み込むことによって編成される。
【００４０】
また、本実施形態において、３本胴部２２、４本胴部２３及び５本胴部２４の編み込みは、指部１１と同様に、それぞれ、手甲側の度目Ｄ３が手掌側の度目Ｄ４よりも粗くなるように調整（例えば、手甲側の度目Ｄ３を１００％とした場合、手掌側の度目Ｄ４を７０％にするように調整）されつつおこなわれる。
これにより、胴部２１は、指部１１と同様に、手掌側の度目Ｄ４が手甲側の度目Ｄ３よりも詰まっているため、手掌側に向けてなだらかに湾曲するような形状に形成される。
【００４１】
さらに、本実施形態では、複数の胴部２１のうち、５本胴部２４の手甲側（度目Ｄ３の調整がおこなわれた部分）において、上述したような度目Ｄ３の調整に加え、編み目数の調整がおこなわれる。なお、本実施形態においては、５本胴部２４以外の部分（人さし指部１２、中指部１３、薬指部１４、小指部１５、３本胴部２２、４本胴部２３及び手首部３１）については、何れも、５本胴部２４とは異なり、手甲側及び手掌側の編み目数が同じになるように編成されている。
【００４２】
具体的に、本実施形態では、５本胴部２４の周方向における横の列（コース）において、さらに、手甲側の編み目数が手掌側の編み目数よりも少なくなるような調整（目減らし）がおこなわれる。なお、上記周方向における横の列が特許請求の範囲に記載の「周方向における編み目列」に該当する。
【００４３】
以下、このような編み目数の調整をおこなう理由について図１、図５及び図６を参照して説明する。
図６に示す編み手袋１０１は、上述したような度目及び編み目数の調整をおこなった編み手袋１とは異なり（図１及び図５参照）、手甲側の胴部１２１全体（３本胴部、４本胴部及び５本胴部）において、手甲側の度目Ｄ３が手掌側の度目Ｄ４よりも粗くなるような調整「のみ」がおこなわれたもの（手甲側の編み目数と手掌側の編み目数とが同じもの）である。
【００４４】
図６に示す編み手袋１０１は、上述した図１に示す編み手袋１と同様に、指部１１１及び胴部１２１において、手甲側の度目が手掌側の度目よりも粗くなるように調整されているため、作製された状態で、手掌側に向けて湾曲する形状に形成される。
【００４５】
ここで、一般に、度目を粗くして編み地を編成すると、編み目の縦の列の方向（ウェール方向）において「ゆるい」編み地が編成される。
このような編み地は、ウェール方向において硬くないため、当該ウェール方向に折れ曲がりやすくなるのが一般的である。
そうすると、図６に示す編み手袋１０１では、手甲側の胴部１２１（胴部２１）を構成する編み地が、手の挿入方向（ウェール方向）に折れ曲がりやすくなる（たわみやすくなる）ことがわかる。
【００４６】
ところで、本実施形態のようなタイプの編み手袋を手にはめると、その手首部が指部へ向けて移動してしまう（ずり上がってしまう）場合が少なくない。
そうすると、図６に示すように、編み手袋１０１では、手にはめた場合、編み地のゆるい部分である、胴部１２１（特に、手首部１３１に隣接する５本胴部）の手甲側において、周方向（コース方向）に沿って集中的に盛り上がる「たわみ現象」が生じやすい。
かかる場合、胴部１２１の手甲側と手との密着性が損なわれるばかりか、美観性の低下を招く。
【００４７】
そこで、本実施形態では、５本胴部２４の手甲側において、上述したような度目の調整のみならず、編み目数を手掌側の編み目数よりも少なくする調整もおこなって、上記「たわみ現象」を抑制するようにしている（図１参照）。なお、本実施形態では、５本胴部２４においてのみ、編み目数の調整をおこなっているが、これに限られず、３本胴部２２及び４本胴部２３においても５本胴部２４と同様な編み目数の調整をおこなってもよい。
【００４８】
次に、手首部３１について図１〜図３を参照して説明する。
図１〜図３に示すように、手首部３１は、５本胴部２４の開口端側に接合され、指部１１及び胴部２１とは異なり、１種類の糸（例えば、第１の糸４１）を用いて編み込まれるものである。なお、本実施形態では、１種類の糸を用いて編成する場合を例にとって説明するが、２種類以上の糸を用いて編成することも可能である。この際、指部１１及び胴部２１と同様に、第１の糸４１及び第２の糸４２を用いてよいことはもちろんである。
【００４９】
また、手首部３１を編成する手法としては、従来から用いられている手法（例えば、ゴム編み）を採用することができる。
【００５０】
本実施形態において、手首部３１は、編成された編み地の開口端側を内側に折り返すことによって形成される折返部３２を有している。この折返部３２は、手首部３１のそれ以外の部分と縫製することによってとめられる。
【００５１】
次に、本実施形態に係る編み手袋１の製造方法について図１〜図５及び図７を参照して説明する。
図７に示すように、本実施形態に係る編み手袋１の製造方法は、指部編成工程Ｓ１と、胴部編成工程Ｓ２と、手首部編成工程Ｓ３と、熱処理工程Ｓ４とを備えている。なお、上記指部編成工程Ｓ１と、胴部編成工程Ｓ２と、手首部編成工程Ｓ３と、熱処理工程Ｓ４とが、それぞれ、特許請求の範囲に記載の「指部編成工程」と、「胴部編成工程」と、「手首部編成工程」と、「熱処理工程」とに該当する。
【００５２】
図１〜図４及び図７に示すように、指部編成工程Ｓ１は、編み手袋１を構成する指部１１（人さし指部１２、中指部１３、薬指部１４、小指部１５及び親指部１６）を編成する工程である。
人さし指部１２、中指部１３、薬指部１４、小指部１５及び親指部１６は、上述したように、それぞれ、第１の糸４１及び第２の糸４２を同時に編み込むことによって編成される。
【００５３】
指部編成工程Ｓ１においては、周方向における横の列（コース）において手甲側の編み目数と手掌側の編み目数とが同じになるように調整しつつ、手甲側の度目Ｄ１が手掌側の度目Ｄ２よりも粗くなるように調整して、編み地を編成する作業をおこなう。なお、上述したような度目の調整をおこなう作業が特許請求の範囲に記載の「指部度目調整工程」に該当する。
このようにして編成された指部１１は、手掌側に向けて湾曲するように形成される。
【００５４】
次に、胴部編成工程Ｓ２について図１〜図３、図５及び図７を参照して説明する。
図１〜図３、図５及び図７に示すように、胴部編成工程Ｓ２は、胴部２１を編成する工程であって、指部編成工程Ｓ１の後におこなわれるものである。
具体的に、胴部編成工程Ｓ２は、人さし指部１２、中指部１３及び薬指部１４を接合する、３本胴部２２を編成する３本胴部編成工程Ｓ２−ａと、３本胴部２２と小指部１５とを接合する、４本胴部２３を編成する４本胴部編成工程Ｓ２−ｂと、４本胴部２３と親指部１６を接合する、５本胴部２４を編成する５本胴部編成工程Ｓ２−ｃとを有している。
３本胴部編成工程Ｓ２−ａ、４本胴部編成工程Ｓ２−ｂ及び５本胴部編成工程Ｓ２−ｃにおいては、指部編成工程Ｓ１と同様に、第１の糸４１及び第２の糸４２を同時に編み込んで編み地を編成する。
【００５５】
３本胴部編成工程Ｓ２−ａ及び４本胴部編成工程Ｓ２−ｂでは、指部編成工程Ｓ１における編み込み手法と同様に、コースにおいて手甲側の編み目数と手掌側の編み目数とが同じになるように調整しつつ、手甲側の度目Ｄ３が手掌側の度目Ｄ４よりも粗くなるように調整して編み地を編成する作業をおこなう。
これに対し、５本胴部編成工程Ｓ２−ｃでは、手甲側の度目Ｄ３が手掌側の度目Ｄ４よりも粗くなるように調整する点において、３本胴部編成工程Ｓ２−ａ及び４本胴部編成工程Ｓ２−ｂと変わらないが、コースにおいて手甲側の編み目数が手掌側の編み目数よりも少なくなるように調整して編み地を編成する作業をおこなう。
このようにして編成された胴部２１は、上述したように、手掌側に向けて湾曲するとともに、編み手袋１を手にはめた際に、手甲側の一部が盛り上がりにくいものとなる。
なお、上述したような、度目の調整をおこなう作業と、編み目数の調整をおこなう作業とが、それぞれ、特許請求の範囲に記載の「胴部度目調整工程」と、「胴部編み目数調整工程」とに該当する。
【００５６】
次に、手首部編成工程Ｓ３について図１〜図３及び図７を参照して説明する。
図１〜図３及び図７に示すように、手首部編成工程Ｓ３は、５本胴部２４に連続するように手首部３１を編成する工程であって、胴部編成工程Ｓ２の後におこなわれるものである。
具体的に、手首部編成工程Ｓ３は、度目及び編み目数を調整しながら手首部３１を編み込む手首部度目・編み目数調整工程Ｓ３−ａと、手首部度目・編み目数調整工程Ｓ３−ａをおこなうことによって編成された編み地を指部１１に向けて折り返す手首部折返工程Ｓ３−ｂとを有している。なお、上記手首部折返工程Ｓ３−ｂが特許請求の範囲に記載の「手首部折返工程」に該当する。
【００５７】
手首部度目・編み目数調整工程Ｓ３−ａでは、上述したように、第１の糸４１をゴム編み等することによって手首部３１を編成する。この際、コースにおいて手甲側の編み目数及び手掌側の編み目数が同じになるように調整するとともに、手甲側の度目も手掌側の度目と同じになるように調整して手首部３１を編成する作業をおこなう。
【００５８】
手首部折返工程Ｓ３−ｂでは、手首部度目・編み目数調整工程Ｓ３−ａによって編成された編み地を内側に折り返して縫製する作業をおこなう。
このようにして作製された手首部３１は、開口端側において編み地が２重に重なることによって補強されるため、編み手袋１の手の挿入口部分の開口形状を、楕円状または円状に形成することが可能である。
すなわち、本実施形態では、指部１１及び胴部２１が上述したように湾曲状に形成されることに加え、手首部３１の開口形状が楕円状または円状に形成されるため、より立体的（３次元的）な編み手袋１とすることが可能となっている。
【００５９】
次に、熱処理工程Ｓ４について図１〜図５及び図７を参照して説明する。
図１〜図５及び図７に示すように、熱処理工程Ｓ４は、手首部折返工程Ｓ３−ｂの後におこなわれ、編み手袋１に対してタンブラー加工等の熱処理を施す工程である。タンブラー加工等に代表される熱処理については、周知であるため、その説明を省略する。
【００６０】
ここで、指部編成工程Ｓ１、胴部編成工程Ｓ２及び手首部編成工程Ｓ３をおこなった後、さらに、熱処理工程Ｓ４をおこなう理由について説明する。
【００６１】
上述したように、指部１１及び胴部２１は、手甲側の度目（度目Ｄ１及び度目Ｄ３）が手掌側の度目（度目Ｄ２及び度目Ｄ４）よりも粗くなるように編み込んで、その形状を、手掌側に向けて湾曲するように形成している。このように形成された編み手袋１では、すでに、力をいれていない状態の手の形に類似した、立体的な形状に形成されたものといえる。
【００６２】
しかしながら、一般に入手可能な糸を単に編み込んだだけでは、当該糸の材質等によっては編み手袋１が型崩れしやすく、その形状を保持しづらい。
【００６３】
このため、本実施形態では、このような不具合を抑制すべく、指部１１及び胴部２１を構成する糸として熱収縮率が高いもの（第２の糸４２）を採用し、かつ、熱処理を施すことによって第２の糸４２を収縮させて、立体的な編み手袋１の形状をより際立させるとともに極力保持できるようにしている。
【００６４】
以上のように、本実施形態によれば、指部１１及び胴部２１において、手甲側の度目（度目Ｄ１及び度目Ｄ３）が手掌側の度目（度目Ｄ２及び度目Ｄ４）よりも粗く形成されているため、編み手袋１を、力をいれていない状態の手の形に類似した形状に形成することが可能である。
このため、本実施形態では、人が編み手袋を手にはめた際に感じる違和感を減らすことができる。
【００６５】
さらに、本実施形態では、５本胴部２４の手甲側において工夫を施した部分、すなわち、手掌側よりも度目を粗くした部分について、当該部分における編み目列（コース）の編み目数を減少する工夫をさらにおこなっている。
このため、本実施形態では、人が編み手袋１をはめた際に手甲側で生じやすい「たわみ現象」を抑制することが可能である。
【００６６】
このように、本実施形態によれば、編み手袋１の手甲側における所定部分の度目及び編み目数を同時に調整する、といった簡単な構成でありながらも、装着性のみならず、密着性及び美観性の向上も図ることが可能である。
【００６７】
また、本実施形態に係る指部１１及び胴部２１は、第１の糸（例えば、ウールや麻等の天然繊維やポリエステル等の化学繊維）４１のほか、第１の糸４１よりも熱収縮率が大きい伸縮性を有する第２の糸（例えば、アクリル繊維９８％及びポリウレタン繊維２％からなる糸）４２を同時に編み込むことによって編成される。
このため、本実施形態では、複数種類の糸を同時に編み込むことで、編み手袋１（指部１１及び胴部２１）を、厚みのある丈夫なものとすることが可能である。なお、第２の糸４２として、例えば、撥水加工が施されたものを使用すれば、編み手袋１を、雨及び寒さに強いものとすることができる。
【００６８】
さらに、本実施形態では、編み地を編成する工程（指部編成工程Ｓ１、胴部編成工程Ｓ２及び手首部編成工程Ｓ３）の後、さらに、熱処理工程Ｓ４をおこなって、第２の糸４２を収縮させるように構成されている。
このため、立体的な編み手袋１の形状をより際立させるとともに極力保持できることが可能である。
なお、本実施形態では、指部１１及び胴部２１を編成する糸として第１の糸４１及び第２の糸４２を、また、手首部３１を編成する糸として第１の糸４１を、それぞれ用いるようにしたが、上述したように、手首部３１も、指部１１及び胴部２１と同様に、第１の糸４１及び第２の糸４２を用いることによって編成することが可能である。
【００６９】
また、本実施形態では、手首部３１に、編成された編み地の開口端側を内側に折り返すことによって形成される折返部３２が設けられている。
すなわち、本実施形態に係る編み手袋１によれば、指部１１及び胴部２１が上述したように湾曲状に形成されることに加え、手首部３１の開口形状が楕円状または円状に形成されるため、より立体的（３次元的）な編み手袋１とすることが可能である。
【００７０】
さらに、本実施形態では、指部１１及び胴部２１の双方において、度目の調整（手甲側の度目を手掌側の度目よりも粗くする調整）をおこなったが、編み手袋のタイプ（例えば、フィンガーレスタイプ）によっては、指部の度目の調整を省略することが可能である。
【００７１】
また、上記図１に示す実施形態では、「たわみ現象」を抑制するため、５本胴部２４の手甲側における編み目数を、横の列（コース）全体に亘って減じる（目減らしする）ようにしたが（図５参照）、これに限られず、コースの一部において減じるようにすることも可能である。
【００７２】
これは、例えば、図８に示すように、５本胴部２４の周方向におけるコースの一部の編み目ＳＴ１の幅を他の部分の編み目ＳＴ２の幅よりも大きくすることによって実現することが可能である。
【００７３】
また、この際、図８に示す編み手袋１´のように、幅の広い編み目ＳＴ１をコース上に所定の間隔をあけて２つ形成するととともに、これら編み目ＳＴ１を指部１１´に向かうのにしたがって放射状に広がるように配列させると好適である。
このようにすれば、５本胴部２４の手甲側において周方向（コース方向）に引っ張る力が作用するため、上記図１に示す実施形態（図１等）と同様、「たわみ現象」を抑制することが可能となる。
【００７４】
以上、本発明者によってなされた発明を適用した実施形態について説明したが、この実施形態による本発明の開示の一部をなす論述及び図面により、本発明は限定されることはない。すなわち、この実施形態に基づいて当業者等によりなされる他の実施形態、実施例及び運用技術等は全て本発明の範疇に含まれることはもちろんであることを付け加えておく。
【符号の説明】
【００７５】
１，１´，１０１  編み手袋
１１，１１´，１１１  指部
１２  人さし指部
１３  中指部
１４  薬指部
１５  小指部
１６  親指部
２１，１２１  胴部
２２  ３本胴部
２３  ４本胴部
２４  ５本胴部
３１，１３１  手首部
３２  折返部
４１  第１の糸
４２  第２の糸
Ｄ１  （手甲側の指部の）度目
Ｄ２  （手掌側の指部の）度目
Ｄ３  （手甲側の胴部の）度目
Ｄ４  （手掌側の胴部の）度目
Ｓ１  指部編成工程
Ｓ２  胴部編成工程
Ｓ２−ａ  ３本胴部編成工程
Ｓ２−ｂ  ４本胴部編成工程
Ｓ２−ｃ  ５本胴部編成工程
Ｓ３  手首部編成工程
Ｓ３−ａ  手首部度目・編み目数調整工程
Ｓ３−ｂ  手首部折返工程
Ｓ４  熱処理工程
ＳＴ１，ＳＴ２  編み目
【図１】
2017186708.tif 000003
【図２】
2017186708.tif 000004
【図３】
2017186708.tif 000005
【図４】
2017186708.tif 000006
【図５】
2017186708.tif 000007
【図６】
2017186708.tif 000008
【図７】
2017186708.tif 000009
【図８】
2017186708.tif 000010